Podtech/llm-jp-corpus-v4-ja_patent huggingface dataset:
(57)【要約】      （修正有）【課題】掃除用具通称「コロコロ（登録商標）」を使用した後のローラ粘着シートを切り取る際、途中で破れてしまう事が多々ある。これを容易に切り取る事が出来るようにする切り口を提供する。【解決手段】ローラ粘着シート２の切り口３をローラ本体４に対して斜めに加工する事により、切り口３の負荷を軽減しスムーズに切り取れる様にした。この為、従来破れた所をめくり直す際に発生する汚れた部分を触るという動作とストレスが減る。【選択図】図２
0003163037.tif 000002
【実用新案登録請求の範囲】
【請求項１】
掃除器具通称「コロコロ」のローラ粘着シートの切り口をローラ本体に対し斜めに加工する事により粘着シートを容易に切り取り易くした切り口の状態。
【考案の詳細な説明】
【技術分野】
【０００１】  本考案は、掃除用具通称「コロコロ」と称されるローラ粘着シート部の切り口を斜めにしたローラ粘着シートに関するものである。
【背景技術】
【０００２】  掃除用具コロコロを使用し掃除し終わったあと、ローラ粘着シートの汚れた部分を切り取る際、切り口がローラ本体に対して平行に施工してある。
【考案の概要】
【考案が解決しようとする課題】
【０００３】  掃除用具コロコロを使用し掃除し終わったあと、ローラ粘着シートの汚れた部分めくって切り取る際、途中で破れてなかなかスムーズに切り取る事ができない。また汚れた部分をめくり直す様な事が起こる為にストレスを感じてしまいます。これをスムーズにローラ粘着シートを切り取れるようにするものである。
【課題を解決するための手段】
【０００４】  本考案は、ローラ粘着シートの切り口をロール本体に対し斜めに角度を付ける事により切り取り易くしている。
【考案の効果】
【０００５】  従来のローラ粘着シートの切り口はローラ本体に対し平行に施工されている。ローラ面が湾曲している為、切り取っていくと徐々に負荷がかかり途中で破れてしまいます。そこをさらにめくり直すために汚れた部分を触らなければいけません。しかし、ローラ本体に対し切り口を斜めに角度をつけて加工する事により負荷が軽減し破れ難くなります。一ヶ所を持ったままスムーズな切り取りが可能になり、汚れた部分を触る回数が減ります。
【考案を実施するための形態】
【０００６】  ローラ本体に対しローラ粘着シートの切り口を斜めに加工する。
【実施例】
【０００７】  以下、添付図面に従って一実施例を説明します。▲１▼は掃除用具コロコロ本体、▲２▼はローラ粘着シート、▲３▼はローラ粘着シートの切り口、▲４▼はローラ本体です。図１の様に切り口▲３▼をローラ本体▲４▼に対し斜めに加工する。【０００８】  図２の様にローラ粘着シート▲２▼を切り取る際、切り口▲３▼をローラ本体▲４▼に対し斜めに加工する事により負荷が軽減しスムーズに切り取る事が可能となる。【０００９】  いろいろなバリエーションが考えられるが図１のようなパターンだと切り口▲３▼の角度を変えるだけなので従来の機械を利用し施工できるので開発コストもほとんどかからない。
【図面の簡単な説明】
【００１０】
【図１】本考案のローラ粘着シート切り口の一実施例を示す正面図である。
【図２】ローラ粘着シートをめくっている状態を示す立体図である。
【符号の説明】
【００１１】▲１▼  掃除用具コロコロ本体
▲２▼  ローラ粘着シート
▲３▼  切り口
▲４▼  ローラ本体
【図１】
0003163037.tif 000003
【図２】
0003163037.tif 000004
【手続補正書】
【提出日】平成22年7月9日(2010.7.9)
【手続補正１】
【補正対象書類名】実用新案登録請求の範囲
【補正対象項目名】全文
【補正方法】変更
【補正の内容】
【実用新案登録請求の範囲】
【請求項１】
掃除器具コロコロ（登録商標）のローラ粘着シートの切り口をローラ本体に対し斜めに加工する事により、その粘着シートを容易に切り取ることのできる切り口の形状を有するローラ粘着シート。
【手続補正２】
【補正対象書類名】明細書
【補正対象項目名】全文
【補正方法】変更
【補正の内容】
【考案の詳細な説明】
【技術分野】
【０００１】  本考案は、掃除用具コロコロ（登録商標）のローラ粘着シート部の切り口を斜めにしたローラ粘着シートに関するものである。
【背景技術】
【０００２】  掃除用具コロコロ（登録商標）を使用し掃除し終わったあと、ローラ粘着シートの汚れた部分を切り取る際、切り口がローラ本体に対して平行に施工してある。
【考案の概要】
【考案が解決しようとする課題】
【０００３】  掃除用具コロコロ（登録商標）を使用し掃除し終わったあと、ローラ粘着シートの汚れた部分めくって切り取る際、途中で破れてなかなかスムーズに切り取る事ができない。また汚れた部分をめくり直す様な事が起こる為にストレスを感じてしまいます。これをスムーズにローラ粘着シートを切り取れるようにするものである。
【課題を解決するための手段】
【０００４】  本考案は、ローラ粘着シートの切り口をロール本体に対し斜めに角度を付ける事により切り取り易くしている。
【考案の効果】
【０００５】  従来のローラ粘着シートの切り口はローラ本体に対し平行に施工されている。ローラ面が湾曲している為、切り取っていくと徐々に負荷がかかり途中で破れてしまいます。そこをさらにめくり直すために汚れた部分を触らなければいけません。しかし、ローラ本体に対し切り口を斜めに角度をつけて加工する事により負荷が軽減し破れ難くなります。一ヶ所を持ったままスムーズな切り取りが可能になり、汚れた部分を触る回数が減ります。
【考案を実施するための形態】
【０００６】  ローラ本体に対しローラ粘着シートの切り口を斜めに加工する。
【実施例】
【０００７】  以下、添付図面に従って一実施例を説明します。▲１▼は掃除用具コロコロ（登録商標）本体、▲２▼はローラ粘着シート、▲３▼はローラ粘着シートの切り口、▲４▼はローラ本体です。図１の様に切り口▲３▼をローラ本体▲４▼に対し斜めに加工する。【０００８】  図２の様にローラ粘着シート▲２▼を切り取る際、切り口▲３▼をローラ本体▲４▼に対し斜めに加工する事により負荷が軽減しスムーズに切り取る事が可能となる。【０００９】  いろいろなバリエーションが考えられるが図１のようなパターンだと切り口▲３▼の角度を変えるだけなので従来の機械を利用し施工できるので開発コストもほとんどかからない。
【図面の簡単な説明】
【００１０】
【図１】本考案のローラ粘着シート切り口の一実施例を示す正面図である。
【図２】ローラ粘着シートをめくっている状態を示す立体図である。
【符号の説明】
【００１１】▲１▼  掃除用具コロコロ（登録商標）本体
▲２▼  ローラ粘着シート
▲３▼  切り口
▲４▼  ローラ本体
(57)【要約】      （修正有）【課題】寒冷時にカップル等が素手で手を繋いだ場合、外気の冷たさに耐える必要があったのでそれを無くす二人用防寒手袋を提供する。【解決手段】二人が繋いだ手にはめる二人用防寒手袋である。男女のカップル、親と子等、二人用防寒手袋を使用することで、冬等の寒冷時でも冷たい外気に触れることなく、長時間素手でお互いの手の温もりを感じ続ける事ができる様になり、手の冷たさに我慢を続けなくてもよくなる。【選択図】図１
0003163049.tif 000002
【実用新案登録請求の範囲】
【請求項１】
従来の一人用の防寒手袋の素材を利用して、筒状に加工し、カップル、親子等が手を繋いだ時、繋ぎ合った手にはめて二人で使用する二人用防寒手袋を考案した
【請求項２】
二人用防寒手袋に二人が手を入れて繋いだ場合、手を繋いだ中央部にゆとりが出来る様に膨らみを持たせる事を考案した。
【請求項３】
男女、親子等で手の大きさが違う二人が使用する事を考慮し、二人用手袋の手の差し込み口の大きさを替える事を考案した。
【請求項４】
緊急時に二人の手をすぐに離す事が出来る様に、手首を包む部分の長さは短めとし、締め付けない様にする事を考案した。
【請求項５】
カップルの男女、親と子、等、背丈の違う人同士が手を繋ぐ事を考え、手を入れる角度を変えて加工、製作する事を考案した。
【考案の詳細な説明】
【技術分野】
【０００１】本考案は、二人が握り合った手を冷たさから守る、二人用手袋に関するものである。
【背景技術】
【０００２】冬等寒冷時に長時間、親子、カップル等が手を繋ぐ場合には、従来からある一人用手袋をはめて手を繋いでいた。
【考案の概要】
【考案が解決しようとする課題】
【０００３】寒冷時に親子、カップル等二人が長時間手を繋いでいようとすると、冷たさを我慢するか、手袋をはめるしか無かった。しかし手袋をはめて手を繋いだのでは、お互いの手の温もりを感じあう事が出来ない。それを解決しようとするものである。
【課題を解決するための手段】
【０００４】本考案は、従来の一人用手袋の素材を利用し、二人が両側から手を差し入れて使用する事が出来る、筒状の二人用防寒手袋を製作し、長時間寒冷時でも素手で手を繋ぎ続ける事を可能とし、問題点を解決している。
【考案の効果】
【０００５】男女のカップル、親と子等、二人用防寒手袋を使用することで、冬等の寒冷時でも冷たい外気に触れることなく、長時間素手でお互いの手の温もりを感じ続ける事ができる様になり、手の冷たさに我慢を続けなくてもよくなる。
【図面の簡単な説明】
【０００６】
【図１】本考案の二人用防寒手袋の、形の特徴と実施例を示す図である。
【図２】背丈の違いによる、形状の違いを表した図である。
【考案を実施するための形態】
【０００７】二人用防寒手袋の差し入れ口よりお互いが手を差し入れ、中で手を握り合う事で十分な温かさを得る事となる。
【符号の説明】
【０００８】１  二人用防寒手袋本体
２  人の手
３  ブイ字型二人用防寒手袋本体
４  エル字型二人用防寒手袋本体
５  一直線型二人用防寒手袋本体
【図１】
0003163049.tif 000003
【図２】
0003163049.tif 000004
【手続補正書】
【提出日】平成22年7月5日(2010.7.5)
【手続補正２】
【補正対象書類名】実用新案登録請求の範囲
【補正対象項目名】全文
【補正方法】変更
【補正の内容】
【実用新案登録請求の範囲】
【請求項１】
従来の一人用の防寒手袋の素材を利用して筒状に加工し、手の差し込み口を二か所開けた形状を特徴とする、二人用防寒手袋。
【請求項２】
本体にゆとりがある様に膨らみを持たせた事を特徴とする、請求項１に記載の、二人用防寒手袋。
【請求項３】
二つの手の差し込み口の大きさに違いを持たせた事を特徴とする、請求項１に記載の、二人用防寒手袋。
【請求項４】
手の差し込み口にゆとりを持たせた事を特徴とする、請求項１に記載の二人用防寒手袋。
【請求項５】
手の差し込み口を開ける位置に、違いを持たせた事を特徴とする、請求項１に記載の二人用防寒手袋。
(57)【要約】      （修正有）【課題】簡単な構造で効率良くコマセを撒くことのできる、釣り用の釣りカゴを提供する。【解決手段】プラスチック、ステンレス線またはステンレス鋼からなる釣りカゴ１の開口部を下向きとし、上部中央に道糸４を通すガイド穴２を持ち、投入時に開口部を上向きとするためのウキ６を通すステー３を開口部に持つ釣りカゴとする。又、釣りカゴの上部をステンレス網とした場合には、もともとステンレス網には幾つかの穴がすでに存在しているので、その中の一つをガイド穴として使うことになる。【選択図】図２
0003163041.tif 000002
【実用新案登録請求の範囲】
【請求項１】
釣りカゴの上部中央に道糸を通すガイド穴を持ち、開口部が下向きとなる釣りカゴ。
【請求項２】
釣りカゴの開口部にウキを通すためのステーを持つ、請求項１記載の釣りカゴ。
【考案の詳細な説明】
【従来の技術と問題点】
【０００１】従来、一般的に用いられている釣りカゴで開口部が上向きのものは、コマセの出方に少々難点が見受けられ、釣りカゴが反転して開口部が下向きとなるものは構造が少し複雑となっていた。
【考案が解決しようとする課題】
【０００２】簡単な構造で効率良くコマセを撒くことのできる釣りカゴとすること。
【課題を解決するための手段】
【０００３】釣りカゴの開口部を下向きとし、上部中央に道糸を通すガイド穴を持ち、投入時に開口部を上向きとするためのウキを通すステーを開口部に持つ釣りカゴとする。
【実施例】
【０００４】この考案による釣りカゴは、プラスチックなどの合成樹脂等、ステンレス線、ステンレス網などを用いて作られる。【０００５】この考案により作られる釣りカゴで、釣りカゴの上部をステンレス網とした場合には、もともとステンレス網には幾つかの穴がすでに存在しているので、その中の一つをガイド穴として使うことになる。【０００６】これより図を用いて本考案の簡単な説明をする。【０００７】投入時、釣りカゴの開口部が下向きであればコマセはこぼれてしまう。そこで図２のように３のステーに６のウキを通すことにより、開口部を上向きとして投入することが可能となり、着水すれば６のウキは３のステーより離れることとなるので海中では釣りカゴの開口部は下向きとなる。
【考案の効果】
【０００８】本考案による釣り用の釣りカゴは効率良くコマセを撒くことができるため、釣果の向上の手助けとなることが期待できる。
【図面の簡単な説明】
【０００９】
【図１】本考案の正面図である。
【図２】本考案を説明する図である。
【符号の説明】
【００１０】１  カゴ本体。
２  道糸を通すためのガイド穴。
３  ウキを通すためのステー。
４  道糸。
５  ハリス。
６  ウキ。
【図１】
0003163041.tif 000003
【図２】
0003163041.tif 000004
(57)【要約】      （修正有）【課題】複数の製品を加工する機械加工ラインで、１ライン又は１人作業工程で生産性の管理をするために、必要機能だけを集約した作業者にも使い易い出来高管理カウンターを安価に提供する。【解決手段】生産する製品毎に設定された加工タイム（目標値）を、０．１秒〜９９９．９秒まで０．１秒間隔で出来高管理カウンターに設定する。作業開始に合せて出来高管理カウンターをスタートさせ、決められた製品の生産が完了すると、出来高管理表カンターをストップさせ保持する。累積生産実績数と出来高管理カウンターに表示された累積生産目標数と設備稼働率を用紙に記録して、出来高管理カウンターをリセットして、次の製品の加工タイムに設定変更する。簡単な作業は人により補助をして、必要機能だけに絞り込んだ出来高管理カウンターは、小型な単体で、片手で携帯できるようにし、マグネットで設備の使い易い箇所に取り付けて使用可能にした。【選択図】図１
0003163046.tif 000002
【実用新案登録請求の範囲】
【請求項１】
製品毎に決められた加工タイムを、人の手で加工タイム設定ボタン３の４つのボタンにより０．１秒〜９９９．９秒まで０．１秒間隔で設定でき、設定された加工タイムは設定加工タイム表示パネル６に表示され、加工された累積生産目標数を示す累積生産目標数表示パネル４と、加工設備より送信される累積生産実績数を受信する加工実績信号受信端子９より入力し、累積生産実績表示パネル７に表示され、更に累積生産実績数と累積生産目標数から算出された設備稼働率表示パネル８を有し、且つ製品の加工終了時に表示パネルの各数値が保持できる操作ボタン５を持つ携帯用出来高管理カウンター１。
【考案の詳細な説明】
【技術分野】
【０００１】本考案は、複数の製品を加工する機械加工ラインで生産性の管理をする、携帯用出来高管理カウンターに関するものである。
【背景技術】
【０００２】従来、累積生産目標数と累積生産実績数の比率（設備稼動率）を表示管理するのに、手書きの出来高管理表を活用していたが、１ライン又は１人作業工程で定時間内に複数の製品を加工する際には加工目標（加工タイム）がそれぞれ異なるため、出来高管理表が使用しにくい問題があった。また、機械加工ラインで出来高管理表の代わりによく使用される稼動率計は、操作が複雑で高価である。
【考案が解決しようとする課題】
【０００３】複数の製品を加工する機械加工ラインで、１ライン又は１人作業工程で生産性の管理をするために、必要機能だけを集約した、作業者でも使い易い出来高管理カウンターを安価に提供することにより課題に対応する。
【考案が解決するための手段】
【０００４】生産する製品毎に設定された加工タイム（目標値）を出来高管理カウンターにセットして、生産開始に合せて出来高管理カウンターをスタートさせ、生産が完了すると出来高管理表カンターをストップする。累積生産実績数と、出来高管理カウンターに表示された累積生産目標数及び設備稼働率を記録して、出来高管理カウンターをリセットする。次の仕掛け製品の設定された加工タイムを、出来高管理カウンターにセットして生産するの繰り返しになる。一日の終りに定時間内に生産した複数の生産性実績を整理して問題があれば対処する。
【実施例】
【０００５】簡単な作業は人により補助をして必要機能だけを絞り込んだ出来高管理カウンター１は片手で運ぶことができる小型な単体で、構成は加工タイム表示パネル２、加工タイム設定ボタン３、累積生産目標数表示パネル４、操作ボタン５、設定加工タイム表示パネル６、累積生産実績数表示パネル７、設備稼働率表示パネル８、加工実績信号受信端子９、リセットボタン１０を有する。加工タイム設定ボタン３の４つのボタンにより加工タイムを０．１秒〜９９９．９秒まで０．１秒間隔で設定し、作業開始と同時に操作ボタン５を押すと、設定した加工タイム毎に累積生産目標数表示パネル４に目標数がカウントアップされ、また加工設備から送られる加工実績が出来高管理カウンター１の加工実績信号受信端子９を通して入力し、累積生産実績数表示パネル７に実績数がカウントアップされ、目標数と実績数から算出された稼働率が設備稼働率表示パネル８にそれぞれ表示される。作業終了時は操作ボタン５を再度押して加工タイムを停止する。各表示パネルに表示された数値はその時点で保持される。またリセットボタン１０を押すことで加工タイム表示パネル２と累積生産目標数表示パネル４と累積生産実績数表示パネル７と設備稼働率表示パネル８の数値がリセットされる。出来高管理カウンターが使い易いように、電源は電池方式または１００Ｖ〜２４０Ｖの交流電源方式の両者が選択できる。加工タイム表示パネル２はワンサイクルの加工時間を表示して機器の作動を示す。携帯用出来高管理カウンターは一個所に保管して必要な人のみが使用することにより携帯用出来高管理カウンターの使用効率を上げ無駄な投資が省ける。
【効果の確認】
【０００６】高価な稼働率計より一桁安く製作でき、作業者に加工タイムの設定方法の説明と簡単な補助シート（出来高管理カウンターの累積生産目標数と累積生産実績数と設備稼働率の記入できるシート）の活用により、的確な数値に基づく生産性管理が、作業者レベルで確認でき、全社に展開中である。
【図面の簡単な説明】
【０００７】
【図１】出来高管理カウンターを使った実施例
【符号の説明】
【０００８】  １．  出来高管理カウンター
２．  加工タイム表示パネル
３．  加工タイム設定ボタン
４．  累積生産目標数表示パネル
５．  操作ボタン
６．  表示パネル
７．  累積生産実績数表示パネル
８．  設備稼働率表示パネル
９．  加工実績信号受信端子
１０．  リセットボタン
【図１】
0003163046.tif 000003
(57)【要約】      （修正有）【課題】ブーツに付ける装飾品を固定する事が出来る靴下を提供する。【解決手段】靴下の上部素材１にブーツ用の装飾品を取付ける。上部素材は外側に折り返してブーツの履き口に被せることにより装飾品を落とす事がない。上部素材１と下部素材２で異なる素材を縫い合わせた筒状のものとする。上部素材はブーツを装飾するための素材を使用し、表の面に起毛、ボア、フェイクファー等の毛足のある編み地を使用する。下部素材２は伸縮性のある編み地を使用する。【選択図】図１
0003163047.tif 000002
【実用新案登録請求の範囲】
【請求項１】
履き口にブーツ用の装飾品を設けたことを特徴とする靴下。
【請求項２】
前記装飾品部分は靴下本体と異なる伸縮性のある素材で出来たもので外側に折り返して使用する。
【考案の詳細な説明】
【技術分野】
【０００１】この考案は靴下の素材及び形状に関する。
【背景技術】
【０００２】従来の靴下の形状は履き口の糸が解れないように処理されている。
【考案の開示】
【考案が解決しようとする課題】
【０００３】従来ブーツの履き口に取付ける装飾品は、履き口に被せるだけだった為、落ちたりする事が多い。この考案はブーツに付ける装飾品を固定する事が出来る。
【課題を解決するための手段】
【０００４】以上の課題を解決するために、第１考案は、履き口にブーツ用の装飾品を設けたことを特徴とする靴下である。
第２考案は、靴下下部素材と異なる伸縮性のある素材で出来た装飾部分を折り返して使用する靴下である。
【考案の効果】
【０００５】装飾品が靴下と一体化しており、装飾部分に伸縮性があるため落ちることがない。
【図面の簡単な説明】
【０００６】
【図１】背面図。上部素材と下部素材で出来ており、背面に楕円状切り込みがある。
【図２】使用状態を示した参考図。足に着用した時の形状がわかる図。
【図３】  ブーツを履き、装飾部を外側に折り曲げた図
【考案を実施するための形態】
【０００７】上部素材１と下部素材２で異なる素材を縫い合わせた筒状のものとする。上部素材はブーツを装飾するための素材を使用し、表の面に起毛、ボア、フェイクファー等の毛足のある編み地を使用する。下部素材２は伸縮性のある編み地を使用する。上部素材の下端部分と、下部素材の上端部分を縫い合わせた状態で、上部素材の表の面は内側になっており、下部素材の表の面は外側になっている。下部素材の裾寄り部分の片面に横長の楕円状の切り込み３がある。図２のように、着用時に上部素材から足を通し、下部素材の楕円状の切り込み３にかかとを入れ、筒状の下部からつま先を出して使用する。本物品の用途としては、図３のように、本物品を着用した状態で、個人で所有しているブーツ、長靴等を履き、本物品上部の装飾部分を外側に折り曲げ、表の面をブーツ、長靴等の外側に出す。そうすることにより、本来のブーツの上部（履き口）に装飾品を取付ける。
【符号の説明】
【０００８】１  上部素材
２  下部素材
３  楕円状切り込み
【図１】
0003163047.tif 000003
【図２】
0003163047.tif 000004
【図３】
0003163047.tif 000005
【手続補正書】
【提出日】平成22年7月7日(2010.7.7)
【手続補正１】
【補正対象書類名】実用新案登録請求の範囲
【補正対象項目名】全文
【補正方法】変更
【補正の内容】
【実用新案登録請求の範囲】
【請求項１】
履き口にブーツ用の装飾品を設け、靴下本体のかかと部分に楕円状の切り込みを入れ、甲から先のつま先が無いことを特徴とする靴下。
【請求項２】
前記装飾品は靴下本体と異なる伸縮性のある素材で出来ていることを特徴とする請求項１記載の靴下。
(57)【要約】      （修正有）【課題】最適な落下距離が確保でき、本を左右均等に積み上げることが出来る図書返却箱を提供する。【解決手段】直方体上部四隅それぞれにバネを吊るし、そのバネの他端に、収納する台を固定する。本返却口の内側下部に滑り台を設け、この滑り台中央部に、三味線のバチ状の振り分け器の中央を固定し、滑り台から、収納する台にすべり落ちる本を左右に振り分ける。【選択図】図１
0003163050.tif 000002
【実用新案登録請求の範囲】
【請求項１】
バネの作用で、本の重量に比例して降下する本収納台を備えた、図書返却箱。
【請求項２】
滑り台を下がる本のエネルギーで、本を左右に振り分ける機能を持った、振り分け器を備えた、図書返却箱。
【考案の詳細な説明】
【技術分野】
【０００１】  本考案は、貸出図書の返却箱に関するものである。
【背景技術】
【０００２】  通常、図書館で借りた本の返却は、図書館の開館時間中はカウンターでおこない、それ以外は、図書館備え付けの図書返却口へ返却している。  最近は利用者の便益を考え、駅や公共施設など、人の集まる所への返却箱の設置が増えてきているが、これらの返却箱は殆んど自由落下方式である。
【考案の開示】
【考案が解決しようとする課題】
【０００３】  自由落下方式の返却箱では本の姿勢制御ができず、時として開いた本の上に次の本が落ちてくるなど、本を傷める原因ともなりかねない不具合があった。
【課題を解決するための手段】
【０００４】  この不具合を解消するための考案を、図面に沿って説明すると、返却口９から投入された本１３は、滑り台４を滑り、本の重さに比例して降下する４本の引張りコイルスプリング２で吊るされた本収納台１へ短い距離を落下して収まる。  これと同時に、本１３は振り分け器７との接触部１２を叩いて振り分け器７を反対方向へ押しやるため、次に投入される本は逆方向へ収まることになる。
【考案の効果】
【０００５】  ４本の引張りコイルスプリングで吊るされた本収納台１の、本の重さに比例して降下する機能と、振り分け器７の、本を左右に振り分けることで生じる本１冊分の落差の余裕が、先に収まった本に干渉されること無く、整然と１冊ずつ積み上がっていくことに繋がった。
【考案を実施するための最良の形態】
【０００６】  Ａ、滑り台の滑り面は、耐摩耗性材を用いるか、ローラー等を使用する。  Ｂ、本収納台の表面には、じゅうたん地やスポンジ等を用いる。
【図面の簡単な説明】
【０００７】
【図１】図面１は平面図である。
【図２】図面２は正面図である。
【図３】図面３は側面図である。
【図４】図面４は滑り台上の本と、振り分け器である。
【図５】図面５は振り分け器の斜視図である。
【符号の説明】
【０００８】１は本収納台である。                      ９は本返却口である。２は引張りコイルスプリングである。      １０はストッパーである。３はガイドパイプである。                １１は底板である。４は滑り台である。                      １２は振り分け器と本の接点である。５は前面扉である。                      １３は本である。６は振り分け器の支点である。            １４は振り分け器の斜視図である。７は振り分け器である。                  １５は本落下防止ビニール幕である。８は天板である。                        １６は本ずれ防止側壁である。
【図１】
0003163050.tif 000003
【図２】
0003163050.tif 000004
【図３】
0003163050.tif 000005
【図４】
0003163050.tif 000006
【図５】
0003163050.tif 000007
【手続補正書】
【提出日】平成22年7月8日(2010.7.8)
【手続補正１】
【補正対象書類名】実用新案登録請求の範囲
【補正対象項目名】全文
【補正方法】変更
【補正の内容】
【実用新案登録請求の範囲】
【請求項１】
直方体上部四隅それぞれにバネを吊るし、そのバネの他端に、収納する台を固定したことを特徴とする、図書返却箱。
【請求項２】
本返却口の内側下部に滑り台を設け、この滑り台中央部に、三味線のバチ状の振り分け器の中央を固定し、滑り台から、前記収納する台にすべり落ちる本を左右に振り分けることを特徴とした、請求項１に記載の図書返却箱。
(57)【要約】      （修正有）【課題】剃り刃を柄に斜めに取りつけることで、切れ味を良くした剃刀を提供する。【解決手段】剃刀の剃り刃１を、柄２に対して直角（９０度）でなく斜めに取り付け、剃り刃１が髪やひげに対して削ぎ切となることで、剃刀の切れ味が向上するよう構成する。【選択図】図１
0003163048.tif 000002
【実用新案登録請求の範囲】
【請求項１】
剃刀の剃り刃１を剃刀の柄２に対して９０度でない角度（斜め）に取り付けた剃刀。
【考案の詳細な説明】
【技術分野】
【０００１】本考案は、剃刀の剃り刃を柄に直角（９０度）でなく、斜めに取り付けて、剃刀の切れ味を良くするものである。
【背景技術】
【０００２】従来の剃刀では、剃り刃は柄に直角（９０度）に取り付けられており、斜めに取り付けられた剃刀はなかつた。
【考案の概要】
【考案が解決しようとする課題】
【０００１】従来、剃刀の剃り刃は、その柄に対して直角（９０度）に取り付けられており、いまひとつ切れ味が良くないという問題があった。
【課題を解決するための手段】
【０００２】剃刀の剃り刃を、柄に対して直角（９０度）でない角度（斜め）に取り付けた。
【考案の効果】
【０００３】剃刀の刃を柄に斜めに取り付けると、剃り刃が髪やひげに対して削ぎ切りとなり、剃刀の切れ味がアップする。
【図面の簡単な説明】
【０００４】
【図１】本考案の剃り刃を柄に斜めに取り付けた剃刀の図である。
【符号の説明】
【０００５】１  剃り刃
２  柄
【図１】
0003163048.tif 000003
(57)【要約】      （修正有）【課題】１対のパーツにカギつきの凸部とそれがかみ合う凹部を設け、そのかみ合わせを磁力で補助することで脱落を防止し、着脱を容易にした装身具用の止め具を提供する。【解決手段】鎖の両端につける装身具用留め具において、磁石４、４′を配した一対のパーツ３、５′と５、３′で、磁石が引き合う力により容易に装着でき、双方のパーツが持つ鎖の引っ張り方向に対して９０度の角度をつけた凸部５、５′とそれとかみ合う形状の凹部３、３′の結合により、鎖が引っ張られる力に抗し得る様にする。さらに凸部の先端をＬ字のカギ型にし凹部の内部構造もＬ字型の空洞とすることで、磁石が接合した状態で凸部凹部のＬ字部がかみ合うようにして、鎖の引っ張り方向に対して９０度方向からかかる外力にも抗する事が出来る様にする。【選択図】図４
0003163027.tif 000002
【実用新案登録請求の範囲】
【請求項１】
１対のパーツにカギつきの凸部とそれがかみ合う凹部を設け、そのかみ合わせを磁力で補助することで脱落を防止し、着脱を容易にした装身具用の止め具。
【考案の詳細な説明】
【実用新案登録請求の範囲】
【請求項１】
１対のパーツにカギつきの凸部とそれがかみ合う凹部を設け、そのかみ合わせを磁力で補助することで、脱落を防止し、着脱を容易にした装身具用の止め具。
【考案の詳細な説明】
【技術分野】
【０００１】  本考案は磁石を用いた装身具用止め具に関するものである。
【背景技術】
【０００２】  従来の技術として、磁石を用いた貴金属用止め具がいくつか知られている。
【考案が解決しようとする課題】
【０００３】  しかしながら、磁力そのものを結合力として用いるものはその強度に問題があった。また、それを解決するための機構により、磁力での結合と言う簡便さを失わせるものもあった。実用新案登録第３１１０２０６号はそれらを克服すべく開発されたものであるが、結合力の弱さを回避するために回転機構をつけねばならない。その上この回転機構は結合力の根本的解決には至らず、衝撃による脱落に対する不安も残った。
【０００４】  本考案の目的は、磁力を用いることで簡便かつ強力に装着できる貴金属止め具を提供することである。
【課題を解決する手段】
【０００５】  本考案は、一対の止め具を図４から図５のように組み合わせた後、図６のようにパーツ凹部（３）と凸部（５）をかみ合わせるものである。この止め具は、主たる結合力をパーツ凹部（３）凸部（５）のかみ合わせによるものとし、鎖、ひも等の引っ張り方向、すなわち図６の水平方向に対して強い結合力を得る。また、パーツ凹部（３）凸部（５）はカギ状になっており、各パーツが図６の垂直方向に外れ脱落しないようにかみ合う。凸部（５）は角を取ってあり、スムーズに凹部（３）に挿入される。磁石（４）は図６の位置を保持しカギ部のかみ合わせ位置を固定するための力として、さらには各パーツを近づけただけで用意に装着できるようにするための力として用いる。外す時はつまみ部（２）をつまみ、図６から図５の形になるよう、図の水平方向から各パーツを押し込んだ上で垂直方向に力を加える。
【実施例】
【０００６】  図６の通りである。
【考案の効果】
【０００７】  磁力そのものを結合力とせず、凹部（３）凸部（５）のかみ合わせ部分で結合することで、鎖、ひも等の引っ張り方向、すなわち水平方向に対して十分に強力な結合力を得ることができた。また、カギ機構を加えたため、垂直方向に対する強度も得られた。さらには磁石（４）を用いることで、パーツを見ずとも自動的に装着できるという簡便さが得られた。加えて機構の簡素化により、各パーツのつまみ部（２）をつまみ、水平方向に押し込みながら垂直方向へ力を加えるだけで外れると言う簡便さも得られた。
【図面の簡単な説明】
【図１】  正面図
【図２】  上面図
【図３】  側面図
【図４】  二つの止め具が結合する前の側面図
【図５】  二つの止め具が結合しカギがかみ合う前の側面図
【図６】  二つの止め具が結合しカギがかみ合った図、すなわち装着時での側面図
【符号の説明】１  鎖、ひも等を結合する丸カン部
２  つまみ部
３  パーツ凹部
４  磁石
５  パーツ凸部
【図１】
0003163027.tif 000003
【図２】
0003163027.tif 000004
【図３】
0003163027.tif 000005
【図４】
0003163027.tif 000006
【図５】
0003163027.tif 000007
【図６】
0003163027.tif 000008
【手続補正書】
【提出日】平成22年3月23日(2010.3.23)
【手続補正１】
【補正対象書類名】実用新案登録請求の範囲
【補正対象項目名】全文
【補正方法】変更
【補正の内容】
【実用新案登録請求の範囲】
【請求項１】
鎖の両端につける装身具用留め具において、磁石を配した一対のパーツで、磁石が引き合う力により容易に装着でき、双方のパーツが持つ鎖の引っ張り方向に対して９０度の角度をつけた凸部とそれとかみ合う形状の凹部の結合により、鎖が引っ張られることで受ける力に耐え、さらに凸部凹部にカギ機構をつけ磁石が接合した状態でそのカギがかみ合うようにすることで鎖の引っ張り方向に対して９０度方向からかかるひねり等の外力にも耐えられる、容易かつ確実な装着を特徴とする装身具用止め具。
【手続補正書】
【提出日】平成22年7月8日(2010.7.8)
【手続補正１】
【補正対象書類名】実用新案登録請求の範囲
【補正対象項目名】全文
【補正方法】変更
【補正の内容】
【実用新案登録請求の範囲】
【請求項１】
鎖の両端につける装身具用留め具において、磁石を配した一対のパーツで、磁石が引き合う力により容易に装着でき、双方のパーツが持つ鎖の引っ張り方向に対して９０度の角度をつけた凸部とそれとかみ合う形状の凹部の結合により、鎖が引っ張られることで受ける力に耐え、さらに凸部の先端をＬ字のカギ型にし凹部の内部構造もＬ字型の空洞とすることで磁石が接合した状態で凸部凹部のＬ字部がかみ合うようにして鎖の引っ張り方向に対して９０度方向からかかる外力にも耐えられる、容易かつ確実な装着を特徴とする装身具用止め具。
(57)【要約】      （修正有）【課題】如何様な状況にある面に対しても使用可能で、クリーナー自体から糸屑様の芥を残さない粘着ローラークリーナーを提供する。【解決手段】基材が高発泡ポリエチレンシートと無発泡ポリエチレンシートのラミネートシートから出来ており、フローリングに使っても、カーペットに使っても、繊維性屑を残さない粘着ローラークリーナー。再生高発泡ポリエチレンシートである為、対象としてフロアーに限らず相当な凹凸のある面にも適応する。【選択図】図１
0003163030.tif 000002
【実用新案登録請求の範囲】
【請求項１】
基材が高発泡ポリエチレンシートと無発泡ポリエチレンシートのラミネートシートから出来ており、フローリングに使っても、カーペットに使っても、繊維性屑を残さない粘着ローラークリーナー。
【考案の詳細な説明】
【技術分野】
【０００１】  本考案は、如何様な状況にある面に対しても使用可能なローラークリーナーで、クリーナー自体から糸屑様の芥を残さない工夫である。
【背景技術】
【０００２】  従来  粘着剤を施した紙・不織布を基材とした為  フロアーなど  対象・状況により糸屑様の芥が残る事があった。【０００３】  それはフローリングなどの平面に用いた場合散見され、絶無にするのは難しかった。
【考案の開示】
【考案が解決しようとする課題】
【０００４】  基材に  繊維を用いれば  所詮糸屑様の芥が生まれるのは必定、クリーナーとして避けられず、欠陥であった。【０００５】  基材から  絶対に糸屑様の芥が生まれない工夫はあるが、それは甚だ面倒な事でもあり高価な事でもある。それより  紙同様柔軟で廉価なものとしてプラスチックを採用する。
【課題を解決するための手段】
【０００６】  芯材として再生高発泡ポリエチレンシート  剥離面として再生ポリエチレンフィルムを採用する。【０００７】  発泡シートとフィルムがラミネートされる際  粘着剤も施され  低コストである。
【考案の効果】
【０００８】  再生高発泡ポリエチレンシートである為  対象としてフロアーに限らず  相当な凹凸のある面にも適応する。
【考案を実施するための最良の形態】
【０００９】  芯材として再生高発泡ポリエチレンシート  剥離面として再生ポリエチレンフィルムを採用し、芯材の自由表面に粘着剤を施し、所定の芯棒に巻きつけ、所定の裁断をする。
【図面の簡単な説明】
【００１１】
【図１】  ローラークリーナーをリフレッシュするのに、一巻分剥がした際の断面図である。
【符号の説明】
【００１２】  １  剥離層
２  高発泡ポリエチレン層
３  粘着層
【図１】
0003163030.tif 000003
【手続補正書】
【提出日】平成22年4月1日(2010.4.1)
【手続補正１】
【補正対象書類名】実用新案登録請求の範囲
【補正対象項目名】全文
【補正方法】変更
【補正の内容】
【実用新案登録請求の範囲】
【請求項１】
基材が高発泡ポリエチレンシートと無発泡ポリエチレンフィルムとのラミネートシートから出来ており、フローリングに使っても、カーペットに使っても、繊維性屑を残さない  粘着ローラークリーナー。
【手続補正書】
【提出日】平成22年7月8日(2010.7.8)
【手続補正１】
【補正対象書類名】明細書
【補正対象項目名】０００６
【補正方法】変更
【補正の内容】
【０００６】    基材の一部である芯材として高発泡ポリエチレンシート  同じく基材の一部である剥離面としてポリエチレンフィルムを採用する。
【手続補正２】
【補正対象書類名】明細書
【補正対象項目名】０００８
【補正方法】変更
【補正の内容】
【０００８】    高発泡ポリエチレンシートである為  対象としてフロアーに限らず  相当な凹凸のある面にも適応する。
【手続補正３】
【補正対象書類名】明細書
【補正対象項目名】０００９
【補正方法】変更
【補正の内容】
【０００９】    基材の一部である芯材として高発泡ポリエチレンシート  同じく基材の一部である剥離面としてポリエチレンフィルムを採用し、芯材の自由表面に粘着剤を施し、所定の芯棒に巻きつけ、所定の裁断をする。
(57)【要約】      （修正有）【課題】防音が施されていない場所でゲームを行っても、騒音で近隣に迷惑をかけることのない麻雀牌を提供する。【解決手段】シリコーンで作ったカバーを麻雀牌の絵柄が彫り込まれている面以外に装着し、麻雀牌と麻雀牌があたる時にでる音を低減する。また、既存の麻雀牌にシリコーンで作ったカバーを装着する事により、洗牌（麻雀牌かき混ぜる）時の音を低減する事以外は従来の麻雀ゲームをする感覚でゲームを楽しむ事ができる。【選択図】図１
0003163029.tif 000002
【実用新案登録請求の範囲】
【請求項１】
既存の麻雀牌の絵柄が彫り込まれていない面にシリコーンで作ったカバーを装着する。
このことにより、麻雀牌と麻雀牌がぶつかる時の音を低減する。
【考案の詳細な説明】
【技術分野】
【０００１】本考案は麻雀ゲーム時、麻雀牌を洗牌（麻雀牌をかき混ぜる）時に出る音を低減させる為の麻雀具に関する。
【背景技術】
【０００２】麻雀牌（図３）既存の遊技用具。表面に３４種類の絵柄が彫り込まれている小立方体主にプラスチックや象牙などの硬い素材で出来ている。
ゲームは１４４個の麻雀牌を使用する。
【先行技術文献】
【実用新案文献１】
【０００３】実用新案登録第３１３１７８４号（Ｕ３１３１７８４）
【考案の概要】
【考案が解決しようとする課題】
【０００４】麻雀は麻雀牌をかき混ぜる際に、硬い麻雀牌と麻雀牌がぶつかる為、かなり大きな音がする。【０００５】このため防音装置の施されていない部屋でゲームを行うとかなりの騒音になる。
この音を低減する事により、騒音や時間帯を気にせずにゲームを楽しむ事ができるようにする。【０００６】実用新案登録第３１３１７８４号の方法では，音を立てずにゲームは出来るが麻雀牌の重みを感じない事、音がしない事で、本来の麻雀ゲームの醍醐味が味わえない。【０００７】麻雀は１４４個の麻雀牌を使って行うゲームであり、麻雀牌の重みや、ある程度の麻雀牌と麻雀牌のぶつかる音を感じながらゲームを楽しむものである。【０００８】また、麻雀上級者の、麻雀牌の絵柄が彫り込まれた面を指で触っただけで種類を識別する盲牌（モーパイ）の技術を楽しむ事も醍醐味の一つである。
【課題を解決するための手段】
【０００９】既存の麻雀牌１４４個の絵柄が彫り込まれている部分以外の面に、シリコーンで作ったカバーをかぶせる。（図１）【００１０】シリコーンとはケイ素を元にしてつくられた人工化合物である。【００１１】シリコーンは伸縮性があるため、ある程度の麻雀牌のサイズの違いにも対応出来る。
これを被せることにより音を低減する。
【考案の効果】
【００１２】麻雀牌のシリコーンがかぶせてある部分はぶつかってもほとんど音がしない。【００１３】麻雀牌の表面の絵柄が彫り込まれている部分にはカバーを着けない事により、麻雀上級者の麻雀牌を指で触っただけで種類を識別する盲牌（モーパイ）の技術を妨げずゲームを進行出来る。【００１４】既存の麻雀牌にカバーを掛ける事により、麻雀牌を持った時の従来の重量感を感じたままゲームを進行出来、洗牌（麻雀牌をかき混ぜる）時の音を低減する事以外は従来のゲーム感覚を保ったままゲームを楽しむ事が出来る。
【図面の簡単な説明】
【００１５】
【図１】シリコーンで作ったカバーをかけた状態を麻雀牌の裏（絵柄が彫り込まれていない面）から見た図である
【図２】シリコーンで作ったカバーをかけた状態を麻雀牌の表（絵柄が彫り込まれている面）から見た図である
【図３】麻雀牌一個の斜視図であり１４４牌の一つ《ー萬》である
【考案を実施するための形態】
【００１６】この考案の実地形態を図１・図２に示す。
グレーの部分が麻雀牌にシリコーンで作ったカバーを装着した部分である
【実施形態の効果】
【００１７】この実施形態によれば、１４４個の麻雀牌を洗牌（麻雀牌かき混ぜる）した場合、麻雀牌のシリコーンが装着してある面同士がぶつかった時、あるいは麻雀牌のシリコーンが装着してある面と麻雀牌のシリコーンが装着してない面がぶつかった時は、何も装着していない麻雀牌同士がぶつかる時に比べて、かなりの音の低減がある。
【図１】
0003163029.tif 000003
【図２】
0003163029.tif 000004
【図３】
0003163029.tif 000005
【手続補正書】
【提出日】平成22年3月24日(2010.3.24)
【手続補正１】
【補正対象書類名】実用新案登録請求の範囲
【補正対象項目名】全文
【補正方法】変更
【補正の内容】
【実用新案登録請求の範囲】
【請求項１】
麻雀牌の絵柄が彫り込まれていない面にシリコーンで作ったカバーを装着することにより、麻雀牌と麻雀牌がぶつかる時の音を低減するシリコーン製音低減カバー。
【手続補正書】
【提出日】平成22年7月12日(2010.7.12)
【手続補正１】
【補正対象書類名】実用新案登録請求の範囲
【補正対象項目名】全文
【補正方法】変更
【補正の内容】
【実用新案登録請求の範囲】
【請求項１】
麻雀牌の絵柄が彫り込まれていない面にシリコーンで作ったカバーを装着した、麻雀牌と麻雀牌がぶつかる時の音を低減する麻雀牌。
(57)【要約】      （修正有）【課題】鉄製の消火器缶や、殺虫済缶など脱着が極めて簡単に出来る壁付用缶支持受を提供する。【解決手段】Ｌ字型をした板状の本体１の内角垂直面に、缶保持の為のマグネット４を取付け、Ｌ字型の内角水平面に缶受皿７を取付ける。【選択図】図１
0003163026.tif 000002
【実用新案登録請求の範囲】
【請求項１】
本考案は、本体１の中央上部に缶保持の為のマグネット４と、本体１下部の曲がった先に缶受皿７が付く事を特備とするものです。
【考案の詳細な説明】
【技術分野】
【０００１】本考案は、緊急の時壁面に取付けた缶支持受から缶が容易に取外しができる。
【背景技術】
【０００２】従来はマグネットによる保持と荷重を受ける受皿とからなる缶支持受はなかった。
【考案の開示】
【考案が解決しようとする課題】
【０００３】本考案は急を要する時、素早い缶の取外しを可能にしようとする物です。
【課題を解決する為の手段】
【０００４】壁付用缶支持受を造る為に巾３０ｍｍ長さ２４０ｍｍ厚さ１．５ｍｍ程度の金属板を下部７０ｍｍ程直角に曲げて本体１にする。本体１の垂直部、上部と下部に５ｍｍ程のモクネジ穴２を２ヶ所明け、直角に曲げた水平方面先端部に缶受皿７を留める為のビス穴を明けます。次にマグネット留板３ですが、マグネット４は市販の物を使用するので、そのサイズに合わせてエル字、及びビス穴の位置を決めて、本体１に点付け溶接等で固定します。マグネット４は市販の物を使用しますが下駄の歯の様にＳ極とＮ極が１２ｍｍ程間隔を置いて出張り、鉄製の缶８がある程度フリーサイズで支持され、安定を増す為のものです。次に缶受皿７ですが円板の縁が陶器の小皿の様に４５度程度に上がり、高さは５ｍｍ程で、これは鉄製の缶８の重量を受ける為と緊急の場合鉄製の缶８の底が滑り易く下側と壁側以外から脱着を容易にするものです。なお缶受皿７は直径は７０ｍｍ程度で中央にビス穴を明け、本体１にビス６を入れて取り付ける。最後に本体１の裏側の面に粘着テープ５等を貼って完成ですが粘着テープ５はモクネジで留められない色々な壁に取付ける為のものです。
【考案の効果】
【０００５】本考案は主に壁など目に着易く、常に決まった所に設置すれば、緊急時消火器缶８や殺虫剤缶８など脱着がマグネット４と缶受皿７により、今までより容易になった。
【図面の簡単な説明】
【０００６】
【図１】本考案の斜視図
【図２】本考案の側面断面実施例図
【符号の説明】
【０００７】１  本体
２  モクネジ穴
３  マグネット留板
４  マグネット
５  粘着テープ
６  ビス
７  缶受皿
８  マグネットと缶受皿に保持された缶
９  マグネットと缶受皿からはずした缶
【図１】
0003163026.tif 000003
【図２】
0003163026.tif 000004
【手続補正書】
【提出日】平成22年3月13日(2010.3.13)
【手続補正１】
【補正対象書類名】実用新案登録請求の範囲
【補正対象項目名】全文
【補正方法】変更
【補正の内容】
【実用新案登録請求の範囲】
【請求項１】
本考案は、Ｌ字型に曲げた本体１の中央より少し上に缶保持の為のマグネット４と、本体１下部の直角に曲げた先に缶受皿７をビス６で留める構造を特徴とする壁付用缶支持受です。
【手続補正書】
【提出日】平成22年7月5日(2010.7.5)
【手続補正１】
【補正対象書類名】実用新案登録請求の範囲
【補正対象項目名】全文
【補正方法】変更
【補正の内容】
【実用新案登録請求の範囲】
【請求項１】
Ｌ字型をした板状の本体１の内角垂直面に、缶保持の為のマグネット４を取付け、Ｌ字型の内角水平面に缶受皿７を取付けた事を特徴とする壁付用缶支持受。
(57)【要約】      （修正有）【課題】両手で、波形カッター歯を押すだけで、簡単にゆで玉子の外側から中心に向けて、きれいな波形の切り口を作ることが出来るゆで玉子波形カッター器を提供する。【解決手段】ゆで玉子波形カッター台１に、ゆで玉子の入る２分の１に切ったり、３分の１に切ったり、横にして２分の１に切ったり出来る窪みのゆで玉子入れ４を設け、その回りに、４個所ずつの波形カッター回転軸２を設け、波形カッター回転軸２に入る穴をあけた波形カッター歯３を取り付けたり外したり出来るようにしたことを特徴とする。【選択図】図１
0003163053.tif 000002
【実用新案登録請求の範囲】
【請求項１】
ゆで玉子波形カッター台（１）の所にゆで玉子を縦２分の１に切ることが出来る球形を半分にした窪み形のゆで玉子入れ（４）を設け、さらに、３分の１に切ることが出来る窪み型のゆで玉子入れ（４）を設け、さらに、横にして、半分に切ることが出来る窪み型のゆで玉子入れ（４）を設け、窪み型の外側に、波形カッター歯回転軸（２）を設け、波形カッター歯回転軸（２）に、波形カッター歯（３）を取り付け、使用しない時は、取り外して洗うことが出来るゆで玉子波形カッター器。
【考案の詳細な説明】
【技術分野】
【０００１】この考案は、ゆで玉子を波形に切ることが出来る料理に関するものである。
【背景技術】
【０００２】従来直線に切ることの出来る料理器具はあった。
【特許文献１】
【非特許文献】
【考案の開示】
【考案が解決しようとする課題】
【０００３】直線にしかゆで玉子を切ることしか出来ないため美くしく見せるのに、この欠点を除くためになされたものである。
【課題を解決するための手段】
【０００４】ゆで玉子波形カッター台（１）の所に、玉子を２分の１や、３分の１や、横に置いて、自由に波形に切ることの出来る高さの調整をした窪みのゆで玉子入れ（４）の器を設け、波形のカッター歯（３）を波形カッター回転軸（２）に取り付ける。４枚の波形カッター歯（３）を、対向線上に、２枚ずつ押すと、波形カッター歯（３）は波形カッター回転軸（２）を回ろうとし、玉子の中心に向かって波形の形に切れる。本考案は、以上のような構成よりなる波形に切ることが出来る玉子カッター器である。
【考案の効果】
【０００５】窪みにゆで玉子が収まり、反対方向からお互いに押し、２度押すだけで、ゆで玉子の中心に向かって波形に切れる。また切り口の形を山形からゆるやかな波形、大きな山、または小さな山にも変えることが出きる。
また、歯は取り外しが簡単に出来、衛生上安全である。
【考案を実施するための最良の形態】
【０００６】ゆで玉子を、縦に置いたり横に置いたりして、波形カッター歯（３）を、波形カッター回転軸（２）に取り付け、互い違いに両手を使い、押すと波形に切れる。
【実施例１】
【０００７】（イ）ゆで玉子波形カッター台（１）に、ゆで玉子を縦２分の１や３分の１、または、横にして２分の１に、切るための深さの窪みをつける。
（ロ）ゆで玉子の入った窪みの回りに、均等に４個の波形カッター歯（３）を回す波形カッター歯回転軸（２）を設ける。
（ハ）波形カッター歯（３）を、カッター歯回転軸（２）に取り付ける。
本考案は、以上のような構造で、これを使用するときは、窪みに、ゆで玉子を切りたい寸法に合わせ、歯を取り付け両手で、対角線上に４枚の歯を押すことにより、中心に向って、切り口が波形に切れて、安全である。
【産業上の利用可能性】
【０００８】料理などに、ゆで玉子は、多く使用されていますが、さらに料理を玉子が美しく引き立ててくれる。
【図面の簡単な説明】
【０００９】
【図１】本考案の斜視図である。
【図２】本考案の分解正面図である。
【図３】本考案の分解正面図である。
【図４】本考案の分解正面図である。
【図５】本考案は図４のＡ−Ａ断面図である。
【図６】本考案は分解正面図である。
【図７】本考案は６図のＢ−Ｂ断面図である。
【図８】本考案の平面図である。
【図９】本考案の正面図である。
【図１０】本考案は９図のＣ−Ｃ断面図である。
【図１１】本考案の平面図である。
【図１２】本考案は１１図のＤ−Ｄ断面図である。
【符号の説明】
【００１０】  １  ゆで玉子波形カッター台
２  波形カッター回転軸
３  波形カッター歯
４  ゆで玉子入れ
５  波形カッター歯回転軸穴
【図１】
0003163053.tif 000003
【図２】
0003163053.tif 000004
【図３】
0003163053.tif 000005
【図４】
0003163053.tif 000006
【図５】
0003163053.tif 000007
【図６】
0003163053.tif 000008
【図７】
0003163053.tif 000009
【図８】
0003163053.tif 000010
【図９】
0003163053.tif 000011
【図１０】
0003163053.tif 000012
【図１１】
0003163053.tif 000013
【図１２】
0003163053.tif 000014